(57)【要約】【課題】装置構成の複雑化や大型化、および装置の組み立て工数の増加を招くことなく、球面収差の補正に用いるレンズの位置をリアルタイムで検出することができる光ピックアップ装置を提供する。【解決手段】コリメータレンズ４を搭載して移動するホルダ１７に、ＢＤ用の光源２およびＤＶＤ，ＣＤ用の光源９からの光をともに受光可能な光量モニタ１９を配置する。位置検出部２３は、光源９が所定光量で一定に発光しているときに、光量モニタ１９により検出される光源９からの光の光量に基づいて、コリメータレンズ４の光軸方向における位置を検出する。【選択図】図１
2011028817.tif 000002
【特許請求の範囲】
【請求項１】
所定波長の光を射出する第１の光源と、
前記第１の光源とは異なる波長の光を射出する第２の光源と、
前記第１の光源から射出された光を光ディスクに入射させる対物レンズと、
前記第１の光源と前記対物レンズとの間に設けられ、前記第１の光源から射出された光の発散角を変化させる発散角変換素子と、
前記発散角変換素子を保持するホルダを光軸方向に移動させる移動手段と、
前記ホルダにおいて、前記第１および第２の光源から射出された光が入射可能な位置に設けられ、前記第１および第２の光源から射出された光をそれぞれ検出する第１の光量モニタと、
前記第２の光源から射出された光を検出する第２の光量モニタと、
前記第１および第２の光量モニタで検出された光の光量に基づいて前記第１および第２の光源の射出光量をそれぞれ制御する光源制御手段と、
前記第２の光源が発光し、前記光源制御手段により、前記第２の光量モニタで検出された光の光量に基づいて前記第２の光源の射出光量が所定光量に制御されているときに、前記第１の光量モニタにより検出された前記第２の光源からの光の光量に基づいて、前記発散角変換素子の光軸方向における位置を検出する位置検出手段と
を備えることを特徴とする光ピックアップ装置。
【請求項２】
前記第１の光量モニタは、前記第１の光源に対して前記第１の光源からの光の広がり角が最大の方向で、かつ前記第２の光源に対して前記第２の光源からの光の広がり角が最大の方向と最小の方向との間に配置されていることを特徴とする請求項１に記載の光ピックアップ装置。
【発明の詳細な説明】
【技術分野】
【０００１】
本発明は、光ディスクに対して情報信号の記録、再生を行うために用いる光ピックアップ装置に関する。
【背景技術】
【０００２】
従来、ＢＤ（Blu-ray Disc）に対して情報信号の記録、再生を行うために用いる光ピックアップ装置には、ＢＤにおけるカバー層の厚さの違いにより発生する球面収差を補正する機構が設けられている。
【０００３】
これは、ＢＤ用の光ピックアップ装置に用いられる対物レンズのＮＡ（開口数）が０．８５と、ＣＤ（Compact Disc）やＤＶＤ（Digital Versatile Disk）用の対物レンズのＮＡ（ＣＤ用が０．４５から０．５１、ＤＶＤ用が０．６から０．６５）と比較して大きいため、カバー層の厚さの誤差により発生する球面収差が無視できず、これを補正する必要があるためである。また、ＢＤでは２層ディスクが規格にあり、各記録層のカバー層の厚さに対応して球面収差を補正することが必須となっている。
【０００４】
球面収差を補正する方法としては、光源と対物レンズとの間にあるレンズ（例えばコリメータレンズ）を光軸方向に移動させることにより、対物レンズに入射する光束の発散角を変化させ、倍率が変わることにより対物レンズで発生する球面収差を利用して補正する方法が用いられている。レンズを移動させるためには、一般に、レンズを光軸方向に移動可能なホルダに取り付け、ステッピングモータ等からなる駆動機構でホルダを移動させることが行われている。
【０００５】
このように、光ディスクのカバー層の厚さに応じてレンズの位置を移動させる場合、記録、再生を行う光ディスクに対応してレンズの位置を制御しなければならない。そのためには、レンズの位置を検出する必要がある。レンズを搭載したホルダを移動させる駆動源としてステッピングモータを用いる場合では、レンズを初期位置に移動させ、それからステッピングモータに送るパルス数をカウントすることで、レンズの光軸方向における位置を制御している。この方法では、現在のレンズの位置は原点位置からステッピングモータを駆動したパルス数から換算した相対量として取得されるため、はじめにレンズを原点位置に送るという動作が必要となる。
【０００６】
このような動作を不要にするために、レンズの位置をリアルタイムで検出するための技術が提案されている。
【０００７】
例えば、特許文献１では、ビームエキスパンダを通過した光束の一部を分離して、ビームエキスパンダの制御用の検出器に入射させ、入射する光量が変化することを利用してレンズの位置を制御する技術が提案されている。
【０００８】
また、特許文献２では、コリメータレンズを通過した光の平行度を検出する検出器を配置し、平行度のずれからコリメータレンズの位置を検出する技術が提案されている。
【０００９】
また、レンズの位置を検出するための専用の光路を必要としない方法として、特許文献３では、光源から光ディスクに向かう光の一部を反射させ、光ディスクからの反射光を受光する検出器の近傍に集光させ、レンズの移動による集光状態の変化を検出する技術が提案されている。
【先行技術文献】
【特許文献】
【００１０】
【特許文献１】特開２００５−３２７３９６号公報
【特許文献２】特開２００７−１４９２２８号公報
【特許文献３】特開２００８−３０５４９３号公報
【発明の概要】
【発明が解決しようとする課題】
【００１１】
上記特許文献１，２の技術では、レンズの位置を検出するための専用の検出器を設ける必要があり、また、専用の検出器のための光路を配置するために光学系の配置が制約を受けるので、装置構成の複雑化、大型化を招いていた。
【００１２】
特許文献３の技術では、レンズの位置を検出するための検出器を光ディスクの情報を検出するための検出器と同じパッケージに設けることで、別途検出のための光路が必要ないので光学系を小型化できるが、レンズの位置を検出するための検出器に光を入射させるために、光学素子の傾きを精度良く調整する必要があり、組み立て工数が増加していた。
【００１３】
本発明は上記に鑑みてなされたもので、装置構成の複雑化や大型化、および装置の組み立て工数の増加を招くことなく、球面収差の補正に用いるレンズの位置をリアルタイムで検出することができる光ピックアップ装置を提供することを目的とする。
【課題を解決するための手段】
【００１４】
上記目的を達成するため、本発明の光ピックアップ装置は、所定波長の光を射出する第１の光源と、前記第１の光源とは異なる波長の光を射出する第２の光源と、前記第１の光源から射出された光を光ディスクに入射させる対物レンズと、前記第１の光源と前記対物レンズとの間に設けられ、前記第１の光源から射出された光の発散角を変化させる発散角変換素子と、前記発散角変換素子を保持するホルダを光軸方向に移動させる移動手段と、前記ホルダにおいて、前記第１および第２の光源から射出された光が入射可能な位置に設けられ、前記第１および第２の光源から射出された光をそれぞれ検出する第１の光量モニタと、前記第２の光源から射出された光を検出する第２の光量モニタと、前記第１および第２の光量モニタで検出された光の光量に基づいて前記第１および第２の光源の射出光量をそれぞれ制御する光源制御手段と、前記第２の光源が発光し、前記光源制御手段により、前記第２の光量モニタで検出された光の光量に基づいて前記第２の光源の射出光量が所定光量に制御されているときに、前記第１の光量モニタにより検出された前記第２の光源からの光の光量に基づいて、前記発散角変換素子の光軸方向における位置を検出する位置検出手段とを備えることを特徴とする。
【００１５】
本発明の光ピックアップ装置における前記第１の光量モニタは、前記第１の光源に対して前記第１の光源からの光の広がり角が最大の方向で、かつ前記第２の光源に対して前記第２の光源からの光の広がり角が最大の方向と最小の方向との間に配置されていることを特徴とする。
【発明の効果】
【００１６】
本発明の光ピックアップ装置によれば、装置構成の複雑化や大型化、および装置の組み立て工数の増加を招くことなく、球面収差の補正に用いるレンズの位置をリアルタイムで検出することができる。
【図面の簡単な説明】
【００１７】
【図１】本発明の実施の形態に係る光ピックアップ装置の概略構成図である。
【図２】図１に示す光ピックアップ装置のホルダに設置される光量モニタの配置を説明するための図である。
【図３】光源から射出される光の強度分布を示す図である。
【図４】コリメータレンズが移動したときの光量モニタの受光量の変化を示す図である。
【図５】コリメータレンズが移動したときの光量モニタの受光量の変化率を示す図である。
【図６】コリメータレンズが移動したときの対物レンズの射出光量の変化を示す図である。
【図７】本発明の実施の形態の変形例に係る光ピックアップ装置の概略構成図である。
【発明を実施するための形態】
【００１８】
以下、本発明の実施の形態について、図面を参照して説明する。なお、各図面を通じて同一もしくは同等の部位や構成要素には、同一もしくは同等の符号を付し、その説明を省略もしくは簡略化する。
【００１９】
図１は、本発明の実施の形態に係る光ピックアップ装置の概略構成図である。本実施の形態に係る光ピックアップ装置１は、ＢＤ，ＤＶＤ，ＣＤの３つの規格に対応するものである。
【００２０】
図１に示すように、光ピックアップ装置１は、ＢＤに対応する波長４００〜４１０ｎｍのレーザ光を射出する半導体レーザからなる光源２と、光源２からの光を光ディスク３０の記録層上に集光する対物レンズ３と、光源２と対物レンズ３との間に設けられ、光源２からの光の発散角を変化させる発散角変換素子であるコリメータレンズ４と、対物レンズ３とコリメータレンズ４との間に設けられ、光源２からの光の偏光を直線偏光から円偏光に変換する４分の１波長板５と、光源２とコリメータレンズ４との間に設けられ、光ディスク３０で反射された光源２からの光の反射光の光路（復路）を光源２から射出された光の光路（往路）から分岐させる偏光ビームスプリッタ６と、偏光ビームスプリッタ６で分岐された反射光を検出する光検出器７と、偏光ビームスプリッタ６と光検出器７との間に設けられ、偏光ビームスプリッタ６で分岐された反射光を光検出器７に入射させる検出レンズ８とを備える。
【００２１】
また、光ピックアップ装置１は、ＤＶＤに対応する波長６５０〜６６５ｎｍのレーザ光およびＣＤに対応する波長７８０ｎｍのレーザ光を射出する光源９と、光源９からの光を光ディスク３０の記録層上に集光する対物レンズ１０と、光源９と対物レンズ１０との間に設けられ、光源９からの光の発散角を変化させるコリメータレンズ１１と、対物レンズ１０とコリメータレンズ１１との間に設けられ、光源９からの光の偏光を直線偏光から円偏光に変換する４分の１波長板１２と、光源９とコリメータレンズ１１との間に設けられ、光源９から射出された光の一部を分離するとともに、光ディスク３０で反射された光源９からの光の反射光の光路（復路）を光源９から射出された光の光路（往路）から分岐させる偏光ビームスプリッタ１３と、偏光ビームスプリッタ１３で分岐された反射光を検出する光検出器１４と、偏光ビームスプリッタ１３と光検出器１４との間に設けられ、偏光ビームスプリッタ１３で分岐された反射光を光検出器１４に入射させる検出レンズ１５と、偏光ビームスプリッタ１３で一部分離された光源９からの往路の光を検出する光量モニタ１６とを備える。
【００２２】
光源９は、ＤＶＤに対応する波長６５０〜６６５ｎｍのレーザ光を射出する半導体レーザと、ＣＤに対応する波長７８０ｎｍのレーザ光を射出する半導体レーザとを同一パッケージに搭載した、いわゆる２波長レーザである。また、対物レンズ１０は、ＤＶＤおよびＣＤの両方に対応したレンズである。さらに、光検出器１４は、ＤＶＤおよびＣＤの両方の反射光を受光する領域を備えており、その他の光学部品もＤＶＤおよびＣＤに対応する２つの波長で共用できる設計にすることで、ＤＶＤ、ＣＤの記録、再生のために共通の光路を利用している。
【００２３】
ＢＤ用のコリメータレンズ４は、光源２から射出される光の光軸方向に移動可能なホルダ１７に固定され、光軸方向における位置を変えることで、光ディスク３０のカバー層の厚さが変化したときに発生する球面収差を補正する。ホルダ１７は、移動手段であるステッピングモータ１８の回転軸１８ａに接続され、光軸方向に移動が可能になっている。
【００２４】
ホルダ１７の光源２，９に対向する面側には、光量モニタ１９が設けられている。光量モニタ１９は、ホルダ１７において、光源２および光源９から射出された光がともに入射可能な位置に配置され、光源２，９からの光をそれぞれ検出する。
【００２５】
また、光ピックアップ装置１は、光量モニタ１９で検出された光の光量を検出する光量検出部２０と、光量モニタ１６で検出された光の光量を検出する光量検出部２１と、光量検出部２０，２１で検出された光量に基づいて光源２，９の射出光量をそれぞれ制御する光源制御手段であるＡＰＣ（Auto Power Control）駆動部２２と、光量検出部２０で検出された光源９の光量に基づいてコリメータレンズ４の光軸方向における位置を検出する位置検出部２３と、ステッピングモータ１８を駆動するモータ駆動部２４と、装置に設けられた各部を制御するコントローラ２５とを備える。
【００２６】
図２は、光量モニタ１９の配置を説明するための図であり、ホルダ１７を光源２，９側から見た図である。図２（ａ）に示すように、ホルダ１７は、ＢＤ用のコリメータレンズ４を搭載し、また、ＤＶＤ，ＣＤ用の光路を遮らないように、ＤＶＤ，ＣＤ用のコリメータレンズ１１の有効径に応じて必要な大きさの貫通孔２６を有する。光量モニタ１９は、コリメータレンズ４，１１の有効径よりも外側の部分に当たる光を検出するようになっている。
【００２７】
ところで、光源２，９として用いられる半導体レーザから射出される光は、その強度が図３に示すようなガウシアン分布を示す拡散光であり、半導体レーザの接合面に対して水平方向（Ｈ方向）と垂直方向（Ｖ方向）とで広がり角が異なる。光ピックアップ装置で光源として使用される半導体レーザは、そのアスペクト比が２前後のものが多い。
【００２８】
コリメータレンズ４，１１の位置での光源２，９からの光の光量分布の方向は、光源２，９としての半導体レーザの搭載方向により任意に設定可能である。一般には、光の利用率と対物レンズの瞳上の強度分布の関係から好ましい方向があり、ＢＤ用の光源は４５度方向、ＤＶＤ，ＣＤ用の光源は光ディスク３０のピット方向に光量分布の広がり角が広い方向を配置することが多い。
【００２９】
本実施の形態では、光量モニタ１９は、ＢＤ用の光源２に対しては、図２（ｂ）に示すように、光の広がり角が最大となる方向であるＶ方向に位置し、かつ、ＤＶＤ，ＣＤ用の光源９に対しては、図２（ｃ）に示すように、光の広がり角が最小となる方向であるＨ方向とＶ方向との中間となる４５度方向に位置している。例えば、光源２，９それぞれの光軸中心から２．５ｍｍの位置に、直径０．８ｍｍの受光部を持ったフォトダイオードが、光量モニタ１９として配置される。
【００３０】
ここで、コリメータレンズ４および光量モニタ１９を搭載したホルダ１７が移動したときの光量モニタ１９の受光量の変化について説明する。図４は、光源の射出光量が一定の場合の、コリメータレンズ４および光量モニタ１９が移動したときの光量モニタ１９の受光量（光量検出部２０の検出光量）の変化を、光源の光量分布に対する光量モニタ１９の取り付け方向がＨ方向、Ｖ方向、４５度方向の場合について示すグラフである。図４は、光源から射出される光の広がり角がＨ方向９度、Ｖ方向２０度の場合の一例である。図４において、レンズ位置のプラス方向が、光源から離れる方向である。
【００３１】
図４に示すように、光量分布に対してＶ方向に光量モニタ１９を配置した場合、コリメータレンズ４および光量モニタ１９が光源から離れると、光量モニタ１９の受光量が減少する。一方、光量分布に対して４５度方向やＨ方向に光量モニタ１９を配置した場合は、コリメータレンズ４および光量モニタ１９が光源から離れると受光量が増加する。これは、光量モニタ１９の光源との距離が変化したときに、受光する光量の密度が変わるのと同時に、光量モニタ１９のガウシアン分布上の位置も変化するためで、広がり角が大きい側（Ｖ方向）よりも強度分布の変化が大きい広がり角が小さい側（４５度方向、Ｈ方向）で、ガウシアン分布上の位置変化の影響が大きくなるためである。
【００３２】
図５は、光源の射出光量が一定の場合の、コリメータレンズ４の位置に対する光量モニタ１９の受光量の変化率を示すグラフである。図５に示すように、Ｖ方向とその他の方向とで受光量が増加する方向が異なり、また、Ｈ方向の変化率がもっとも大きい。
【００３３】
光ピックアップ装置１では、ＢＤの記録、再生動作時において、コリメータレンズ４が移動しても対物レンズ３の射出光量をほぼ一定にするために、光量モニタ１９で検出する光源２の光量に基づいて光源２の射出光量を制御する。このためには、後述するように、コリメータレンズ４が光源２から離れる方向に移動するにつれて光量モニタ１９の受光量が減少するように変化することが好ましい。
【００３４】
そこで、本実施の形態では、光量モニタ１９を、ＢＤ用の光源２に対してＶ方向に配置している。図４、図５に示すように、Ｖ方向の場合、他の方向と異なり、コリメータレンズ４が光源２から離れる方向に移動すると光量モニタ１９の受光量は減少するからである。また、光量モニタ１９で検出する光源２の光量に基づいて光源２の射出光量を制御するには、光量モニタ１９の受光量の変化率は小さいほうが好ましい。この点からも、光量モニタ１９は、ＢＤ用の光源２に対してＶ方向に配置することが好ましい。
【００３５】
また、光ピックアップ装置１では、ＢＤの記録、再生動作の開始時において、ＤＶＤ，ＣＤ用の光源９を一定の光量で発光して、光量モニタ１９で検出した光源９の光量に基づいて、コリメータレンズ４の位置を検出する。このためには、コリメータレンズ４が移動したときの光量モニタ１９の検出光量の変化がある程度大きいほうが好ましい。図５に示すように、光量モニタ１９の検出光量の変化率が最も大きいのは、光源に対してＨ方向に配置した場合である。しかしながら、Ｈ方向の場合、図４に示すとおり受光量が小さいため、ノイズ等の外乱の影響を受けやすくなる。
【００３６】
そこで、本実施の形態の光ピックアップ装置１では、光量モニタ１９を、ＤＶＤ，ＣＤ用の光源９に対して、Ｈ方向とＶ方向との中間となる４５度方向に位置している。４５度方向であれば、図４に示すように、光量モニタ１９の受光量がある程度大きく、図５に示すように、コリメータレンズ４の移動による受光量の変化率もある程度大きいため好ましい。なお、Ｈ方向とＶ方向との間であれば、４５度方向に限定されない。
【００３７】
次に、光ピックアップ装置１の動作について説明する。
【００３８】
光ピックアップ装置１では、ＢＤの記録、再生動作の開始時において、コリメータレンズ４の光軸方向における位置を検出してから、ＢＤである光ディスク３０に対応した規定の位置にコリメータレンズ４を移動させ、その後、記録、再生動作を開始する。
【００３９】
まず、ＢＤの記録、再生動作の開始時において、コリメータレンズ４の光軸方向における位置を検出する動作について説明する。
【００４０】
コントローラ２５は、ＤＶＤ，ＣＤ用の光源９を発光させる。光源９から射出された光は、一部が偏光ビームスプリッタ１３で反射されて光量モニタ１６に入射し、残りの光が偏光ビームスプリッタ１３を通過する。偏光ビームスプリッタ１３を通過した光源９からの光の一部は、ホルダ１７に設置された光量モニタ１９で検出される。
【００４１】
光量検出部２１は、光量モニタ１６で検出された光の光量を検出し、ＡＰＣ駆動部２２は、光量検出部２１で検出された光量に基づいて、光源９の射出光量が所定光量で一定になるように制御する。
【００４２】
このＡＰＣ駆動部２２の制御により光源９が所定光量で一定に発光している状態で、光量検出部２０は、光量モニタ１９で検出された光の光量を検出し、検出結果を位置検出部２３に出力する。
【００４３】
コリメータレンズ４の光軸方向における位置と、光量モニタ１９で検出される光の光量との間には、図４における４５度方向のデータに示したような関係がある。位置検出部２３は、光源９が所定光量で一定に発光している場合の、図４に示したようなコリメータレンズ４の光軸方向における位置と光量モニタ１９で検出される光の光量との関係を示すレンズ位置テーブルを予め記憶しており、このレンズ位置テーブルと、光量検出部２０から入力される光量の検出結果とに基づいて、コリメータレンズ４の光軸方向における現在の位置を検出する。
【００４４】
このようにして、コリメータレンズ４の光軸方向における現在の位置を検出すると、コントローラ２５は、ステッピングモータ１８を駆動して光ディスク３０に対応した規定の位置にコリメータレンズ４を移動するようにモータ駆動部２４を制御する。コントローラ２５は、ステッピングモータ１８の駆動中、位置検出部２３によるレンズ位置テーブルと光量検出部２０の検出結果とに基づく位置検出結果により、コリメータレンズ４が規定の位置に達したか否かを判断し、規定の位置に達したとき、モータ駆動部２４にステッピングモータ１８の駆動を停止させる。
【００４５】
上記のように、コリメータレンズ４を光ディスク３０に対応した規定の位置に移動させると、コントローラ２５は、ＤＶＤ，ＣＤ用の光源９を消灯し、ＢＤに対する記録、再生動作を行うため、ＢＤ用の光源２を発光させる。
【００４６】
光源２から射出されたＰ偏光の光は、偏光ビームスプリッタ６を通過し、コリメータレンズ４で略平行の光束に変換され、４分の１波長板５により円偏光に変換された後、対物レンズ３により光ディスク３０の記録層上に集光される。
【００４７】
光ディスク３０で反射された円偏光の反射光は、対物レンズ３を通過し、４分の１波長板５によりＳ偏光に変換された後、コリメータレンズ４を通過し、偏光ビームスプリッタ６で反射され、検出レンズ８により光検出器７に入射される。
【００４８】
光検出器７で検出された光は電気信号に変換され、図示しない信号処理回路等において、情報信号、フォーカスエラー信号、トラッキングエラー信号の生成等に用いられる。
【００４９】
前述のように、ＢＤにおいては、光ディスク３０のカバー層の厚さの誤差により対物レンズ３において球面収差が発生する。この球面収差を補正するため、コントローラ２５は、光検出器７で検出される光の振幅等に基づいて、モータ駆動部２４によりステッピングモータ１８を駆動させてコリメータレンズ４を移動させる。
【００５０】
光源２からの光は、一部が光量モニタ１９に入射し、光量検出部２０は、光量モニタ１９で検出された光の光量を検出する。ＡＰＣ駆動部２２は、コリメータレンズ４が球面収差補正のために移動しても対物レンズ３の射出光量をほぼ一定にするために、光量検出部２０で検出された光量に基づいて光源２の射出光量を制御する。
【００５１】
ここで、光源２のＡＰＣ制御について説明する。図６は、コリメータレンズ４が光軸方向に移動したときに、光源２の射出光量を一定にした場合と光量検出部２０の検出結果を用いてＡＰＣ駆動したときの対物レンズ３の射出光量の変化を示す図である。
【００５２】
光源２の射出光量が一定であっても、コリメータレンズ４が光軸方向に移動することで光の利用率が変化するため、対物レンズ３の射出光量は変化する。図６に示すように、光源２の射出光量を一定とした場合、コリメータレンズ４が光源２から離れるにつれて対物レンズ３の射出光量は減少する。このため、コリメータレンズ４が移動しても対物レンズ３の射出光量をほぼ一定になるようにするには、コリメータレンズ４が光源２から離れるにつれて光源２の射出光量を大きくするように制御する必要がある。
【００５３】
一方、コリメータレンズ４の移動とともに光量モニタ１９の受光量は変化する。前述のように、光ピックアップ装置１では、光量モニタ１９を、ＢＤ用の光源２に対してＶ方向に配置しているので、図４、図５に示したように、光源２の射出光量が一定の場合、コリメータレンズ４が光源２から離れると光量モニタ１９の受光量は減少する。このように変化する光量モニタ１９の受光量がほぼ一定になるように光源２の射出光量を制御すれば、コリメータレンズ４が光源２から離れるにつれて光源２の射出光量を大きくするように制御することになる。このため、光量検出部２０の検出結果を用いて、ＡＰＣ駆動部２２により光源２をＡＰＣ駆動することで、図６に示すように、対物レンズ３の射出光量をほぼ一定に制御することができる。
【００５４】
次に、ＤＶＤ，ＣＤの記録、再生動作について説明する。まず、コントローラ２５は、ＤＶＤ，ＣＤ用の光源９を発光させる。光源９から射出されたＰ偏光の光は、一部が偏光ビームスプリッタ１３で反射されて光量モニタ１６に入射し、残りの光が偏光ビームスプリッタ１３を通過する。
【００５５】
光量検出部２１は、光量モニタ１６で検出された光の光量を検出し、ＡＰＣ駆動部２２は、光量検出部２１で検出された光量に基づいて、光源９の射出光量が所定光量で一定になるように制御する。
【００５６】
偏光ビームスプリッタ６を通過した光源９からの光は、コリメータレンズ１１で略平行の光束に変換され、４分の１波長板１２により円偏光に変換された後、対物レンズ１０により光ディスク３０の記録層上に集光される。
【００５７】
光ディスク３０で反射された円偏光の反射光は、対物レンズ１０を通過し、４分の１波長板１２によりＳ偏光に変換された後、コリメータレンズ１１を通過し、偏光ビームスプリッタ１３で反射され、検出レンズ１５により光検出器１４に入射される。
【００５８】
光検出器１４で検出された光は電気信号に変換され、図示しない信号処理回路等において、情報信号、フォーカスエラー信号、トラッキングエラー信号の生成等に用いられる。
【００５９】
上記説明のように本実施の形態では、ＤＶＤ，ＣＤ用の光源９を所定光量で一定に発光させ、ホルダ１７に設置した光量モニタ１９で検出した光源９からの光の光量に基づいて、ホルダ１７に搭載されたコリメータレンズ４の光軸方向における位置を検出するので、コリメータレンズ４の位置を検出するための専用の検出器、および専用の光路を必要としない。このため、装置構成の複雑化や大型化を招くことなく、コリメータレンズ４の位置をリアルタイムで検出することができる。
【００６０】
また、光量モニタ１９は、光源９の光の一部を検出するだけなので、装置の組み立て時には機械的な位置決めにより取り付けるだけでよく、位置を調整する必要がない。このため、装置の組み立て工数の増加を抑え、調整装置を用意することも不要である。
【００６１】
なお、図７に示すように、図１の光量モニタ１６の代わりに、光源９の半導体レーザと同じパッケージ内に配置され、半導体レーザのチップの後面から漏れる光を検出する光量モニタ２７を用いてもよい。また、図７に示すように、ＤＶＤ，ＣＤ用のコリメータレンズ１１をホルダ１７に搭載してもよい。
【００６２】
ＤＶＤ，ＣＤ用の光源９の射出光量を一定に制御するために用いる光量モニタ１６，２７の位置は、図１、図７に示した位置に限定されないが、図７のようにＤＶＤ，ＣＤ用のコリメータレンズ１１が移動可能に構成されている場合は、コリメータレンズ１１が移動することにより光源９からの光量が変動することを回避するため、コリメータレンズ１１よりも光源９に近い側であることが好ましい。
【符号の説明】
【００６３】
１  光ピックアップ装置
２，９  光源
３，１０  対物レンズ
４，１１  コリメータレンズ
５，１２  ４分の１波長板
６，１３  偏光ビームスプリッタ
７，１４  光検出器
８，１５  検出レンズ
１６，１９，２７  光量モニタ
１７  ホルダ
１８  ステッピングモータ
２０，２１  光量検出部
２２  ＡＰＣ駆動部
２３  位置検出部
２４  モータ駆動部
２５  コントローラ
３０  光ディスク
【図１】
2011028817.tif 000003
【図２】
2011028817.tif 000004
【図３】
2011028817.tif 000005
【図４】
2011028817.tif 000006
【図５】
2011028817.tif 000007
【図６】
2011028817.tif 000008
【図７】
2011028817.tif 000009